(57)【要約】【課題】塵離れが良好なフィルタを備えたクリーナを提供する。【解決手段】吸引風を発生させる電動送風機１５が収容された本体ハウジング１０と、粉塵吸引口２２が形成されて内部に集塵室２１を設け本体ハウジングの前方に装着される前側ハウジング２０と、を備え、集塵室内に、吸引風によって粉塵吸引口から吸引した粉塵を捕捉する袋状のフィルタ２５を設け、電動送風機の駆動モータＭが充電可能なバッテリを電源として駆動されるクリーナ１であって、フィルタを導電性繊維を用いた織布によって形成し、集塵室内でフィルタよりも吸引風の下流側に、粉塵を吸引するときのフィルタの形状を保持する保持枠２４を設けた。【選択図】図１
2012223205.tif 000002
【特許請求の範囲】
【請求項１】
吸引風を発生させる電動送風機が収容された本体ハウジングと、粉塵吸引口が形成されて内部に集塵室を設け前記本体ハウジングの前方に装着される前側ハウジングと、を備え、前記集塵室内に、前記吸引風によって前記粉塵吸引口から吸引した粉塵を捕捉する袋状のフィルタを設け、前記電動送風機の駆動モータが充電可能なバッテリを電源として駆動されるクリーナであって、
前記フィルタを導電性繊維を用いた織布によって形成し、前記集塵室内で前記フィルタよりも前記吸引風の下流側に、前記粉塵を吸引するときの前記フィルタの形状を保持する保持枠を設けたことを特徴とするクリーナ。
【請求項２】
前記本体ハウジングに、前記保持枠を前記集塵室内へ突出するように設けて、
前記吸引風の停止状態では、前記集塵室の前後方向で、前記フィルタが前記保持枠に該保持枠の前方端から突出する形状で保持されて、前記フィルタが前記前方端から突出する長さを、前記前後方向における前記保持枠の長さの１／２〜１／３としたことを特徴とする請求項１に記載のクリーナ。
【請求項３】
前記保持枠を、前記粉塵吸引口の中心を通る中心線と略平行に前記前後方向へ延びる少なくとも３つの棒状部材で形成したことを特徴とする請求項２に記載のクリーナ。
【発明の詳細な説明】
【技術分野】
【０００１】
この発明は、粉塵を捕捉するフィルタを設けたクリーナに関する。
【背景技術】
【０００２】
例えば特許文献１には、粉塵を捕捉するフィルタを設けた前側ハウジングを、本体ハウジングから離脱したときに、フィルタが外れて前側ハウジング内の粉塵が飛散することを防止したクリーナが開示されている。
【０００３】
特許文献１のクリーナでは、フィルタを支えるフィルタ枠を弾性部材によって構成し、フィルタ枠の外周部に一体形成したフランジ状の円筒壁を、前側ハウジング内に設けた円筒状保持部材の外側と前側ハウジングの内壁との間に挟み込んで弾性力により圧着させている。その結果、前側ハウジングに対するフィルタ枠の保持が確実になることで、フィルタ枠に支えられたフィルタが前側ハウジングから落下することがなく、前側ハウジングに集塵された粉塵が飛散することを防止できる。
【先行技術文献】
【特許文献】
【０００４】
【特許文献１】実公昭６１−１２０３５号公報
【発明の概要】
【発明が解決しようとする課題】
【０００５】
ところで一般にクリーナに用いるフィルタは、高い集塵効率と高い通気性を維持し圧力損失の上昇を防ぐことができる不織布で形成されていた。しかしながら不織布で形成されたフィルタは集塵効率が高いことから塵離れが悪い。このため、例えばクリーナのユーザが前側ハウジングに集塵された粉塵を捨てるとき等にフィルタの表面に付着した粉塵に触れるおそれがあり、衛生面で好ましいフィルタであるとは言い難かった。
【０００６】
一方織布によってフィルタを形成することも考えられるが、一般に織布は静電気が帯電し易いことから、織布で形成されたフィルタは、表面が帯電することによって粉塵が吸着して塵離れが劣るという不具合を有するものであった。
【０００７】
この発明は、このような状況に鑑み提案されたものであって、塵離れが良好なフィルタを備えたクリーナを提供することを目的とする。
【課題を解決するための手段】
【０００８】
請求項１の発明に係るクリーナは、吸引風を発生させる電動送風機が収容された本体ハウジングと、粉塵吸引口が形成されて内部に集塵室を設け前記本体ハウジングの前方に装着される前側ハウジングと、を備え、前記集塵室内に、前記吸引風によって前記粉塵吸引口から吸引した粉塵を捕捉する袋状のフィルタを設け、前記電動送風機の駆動モータが充電可能なバッテリを電源として駆動されるクリーナであって、前記フィルタを導電性繊維を用いた織布によって形成し、前記集塵室内で前記フィルタよりも前記吸引風の下流側に、前記粉塵を吸引するときの前記フィルタの形状を保持する保持枠を設けたことを特徴とする。
【０００９】
請求項２の発明は、請求項１において、前記本体ハウジングに、前記保持枠を前記集塵室内へ突出するように設けて、前記吸引風の停止状態では、前記集塵室の前後方向で、前記フィルタが前記保持枠に該保持枠の前方端から突出する形状で保持されて、前記フィルタが前記前方端から突出する長さを、前記前後方向における前記保持枠の長さの１／２〜１／３としたことを特徴とする。
【００１０】
請求項３の発明は、請求項２において、前記保持枠を、前記粉塵吸引口の中心を通る中心線と略平行に前記前後方向へ延びる少なくとも３つの棒状部材で形成したことを特徴とする。
【発明の効果】
【００１１】
請求項１の発明に係るクリーナによれば、粉塵を捕捉するフィルタを導電性繊維を用いた織布によって形成することで、静電気がフィルタに帯電することを抑制できる。これにより、粉塵が静電気でフィルタに吸着することを抑えることができ、フィルタの塵離れが良好になる。さらに、吸引風によって保持枠に張り付いたフィルタが、吸引風の停止によって復元することにより、自動的にフィルタから粉塵を除去できる。
請求項２の発明によれば、フィルタの収縮時と復元時との形状の差を大きくできるため、フィルタから粉塵を振り払う力を大きくできる。これに伴って、粉塵がフィルタから剥がれ落ち易くなる。
請求項３の発明によれば、棒状部材で形成されたフィルタの保持枠は、吸引風の吸引方向と略平行に延設されることになり、吸引風の流れを妨げることを抑制できる。これにより、フィルタに対する吸引風の風量の低下を防ぐことができるため、フィルタの圧力損失の上昇を防ぐことができる。
【図面の簡単な説明】
【００１２】
【図１】本発明の実施形態１のクリーナの側断面図である。
【図２】フィルタと保持枠を突設させた本体ハウジングとの分解斜視図である。
【図３】吸引風発生時における同クリーナの要部縦断面図である。
【図４】実施形態２のクリーナの側断面図である。
【発明を実施するための形態】
【００１３】
＜実施形態１＞
本発明の実施形態１を図１ないし図３を参照しつつ説明する。図１に示すようにクリーナ１は、本体ハウジング１０とダストハウジング２０とを備えている。
【００１４】
図２に示すように本体ハウジング１０は、左右に二つ割り形状となる一対のハウジング形成部材１０Ｌ、１０Ｒを組み付けて形成されている。本体ハウジング１０の前端部（図１中の右側）は筒状に形成されている。この前端部の内部は、仕切り板１１によって、本体ハウジング１０の前後方向に隣接する電動送風機収容室１２とファン収容室１３とに区画されている。
【００１５】
電動送風機収容室１２には、吸引風を発生させる電動送風機１５が収容されている。仕切り板１１には、電動送風機収容室１２とファン収容室１３とを連通させる連通孔１６が形成されている。電動送風機１５の駆動モータＭの出力軸１５Ａは、連通孔１６を通じてファン収容室１３内に進入する。図２に示すようにハウジング形成部材１０Ｒの側面には、ハウジング形成部材１０Ｒの外部とファン収容室１３とを連通させる複数の空気排気口１７が開設されている。加えてハウジング形成部材１０Ｌの側面にも、ハウジング形成部材１０Ｌの外部とファン収容室１３とを連通させる複数の空気排気口（図示せず。）が開設されている。ファン収容室１３では、出力軸１５ＡにファンＦが嵌着されている。本体ハウジング１０におけるファン収容室１３の前方側内面には、本体ハウジング１０内に突出するリブ１３Ａが一体に形成されている。加えてファン収容室１３の前方側には通気孔１３Ｂが開設されている。
【００１６】
また本体ハウジング１０の後端部（図１中の左側）には、本体ハウジング１０と一体になってハンドル１８が設けられている。この後端部の下方部にはバッテリ装着部１９が形成されて、バッテリはバッテリ装着部１９に固定可能とされている。このバッテリは、充電可能なものであり駆動モータＭを駆動させるために用いられる。
【００１７】
ダストハウジング２０は、図１に示すように本体ハウジング１０の前方（図１中の右側）に装着されるもので、内部に集塵室２１を設けて筒状に形成されている。このダストハウジング２０は、周知のバイヨネット結合により本体ハウジング１０の前端縁に連結されている。ダストハウジング２０の前方中央部には、粉塵吸引口２２が開設されている。本体ハウジング１０にダストハウジング２０を連結すると、粉塵吸引口２２は、上記の通気孔１３Ｂと対向して配置される。なお、ダストハウジング２０は本発明の前側ハウジングの一例である。
【００１８】
さらに集塵室２１内には、保持枠２４とフィルタ２５とが収容されている。保持枠２４は、フィルタ２５よりも吸引風の下流側（図１中の左側）に設けられてフィルタ２５を保持するもので図１及び図２に示すように８つの棒状部材２４Ａで形成されている。各棒状部材２４Ａは、粉塵吸引口２２の中心を通る中心線Ｌと略平行に集塵室２１の前後方向Ｘへ延設されている。
【００１９】
図１及び図２に示すように、各棒状部材２４Ａにおける前後方向Ｘの後方端部は第１の環状部材２４Ｂに結合されている。一方、各棒状部材２４Ａにおける前後方向Ｘの前方端部は、第１の環状部材２４Ｂよりも小径の第２の環状部材２４Ｃに結合されている。第１の環状部材２４Ｂは、本体ハウジング１０の前方側内面に配置した環状溝１３Ｃ（図１参照。）に嵌められている。これにより、保持枠２４は、第１の環状部材２４Ｂを介して本体ハウジング１０に固定されて集塵室２１内へ突出する。
【００２０】
フィルタ２５は、図１及び図２に示すように本体ハウジング１０側を開口させダストハウジング２０側を閉塞した袋状で、ポリエステル繊維製の織布と共に導電性繊維を用いて形成されている。フィルタ２５の開口縁部には、図２に示すように枠部材２６が取り付けられている。この枠部材２６の外周には、２つの係止用突部２６Ａが設けられている。図１に示すように各係止用突部２６Ａをリブ１３Ａに係止させることで、フィルタ２５は、集塵室２１内で第２の環状部材２４Ｃよりも前後方向Ｘの前方側へ突出し張設状態で各棒状部材２４Ａに保持される。また、電動送風機１５が停止した吸引風の停止状態では、フィルタ２５が第２の環状部材２４Ｃから前後方向Ｘの前方側へ突出する長さＬ１が、前後方向Ｘにおける保持枠２４（棒状部材２４Ａ）の長さの１／２〜１／３に設定されている。
【００２１】
次にクリーナ１の動作を説明する。バッテリ装着部１９に固定したバッテリによって駆動モータＭを駆動させて出力軸１５Ａが回転すると、ファンＦが回転して吸引風が発生する。この吸引風は、粉塵吸引口２２からダストハウジング２０内を通過して、フィルタ２５、保持枠２４内、通気孔１３Ｂ、ファンＦのブレード同士の間、ファン収容室１３内、各空気排気口１７へと順次向かう。このときフィルタ２５は、図３に示すように吸引風で弾性変形して各棒状部材２４Ａに張り付いて収縮した状態で、吸引風と共にダストハウジング２０内に吸い込まれた粉塵を外周に捕捉する。ここでは各棒状部材２４Ａは、中心線Ｌ（図１参照。）と略平行に前後方向Ｘへ延設されている。このため吸引風の発生時には、各棒状部材２４Ａは吸引風の流れを妨げることを抑制する。
【００２２】
一方駆動モータＭを停止させると吸引風が停止する。これに伴ってフィルタ２５が張設状態に復元すると共に、フィルタ２５の外周に捕捉された粉塵は、復元力でフィルタ２５から集塵室２１内に剥がれ落ちて除去される。本実施形態では、フィルタ２５が第２の環状部材２４Ｃから突出する長さＬ１を、保持枠２４（棒状部材２４Ａ）の長さの１／２〜１／３に設定したことで、フィルタ２５の収縮時と復元時との形状の差を大きくできる。よって、フィルタ２５から粉塵を振り払う復元力が大きくなる。
【００２３】
加えて本実施形態では、フィルタ２５がポリエステル繊維と共に導電性繊維で形成されているため、フィルタ２５の除電が可能となる。このため、静電気がフィルタ２５に帯電することを抑制できる。これに伴って、粉塵が静電気でフィルタ２５の外面に吸着することを抑えることができる。
【００２４】
＜実施形態１の効果＞
本実施形態のクリーナ１では、粉塵を捕捉するフィルタ２５を、ポリエステル繊維製の織布と共に導電性繊維を用いて形成することで、静電気がフィルタ２５に帯電することを抑制できる。これにより、粉塵が静電気でフィルタ２５に吸着することを抑えることができ、フィルタ２５の塵離れが良好になる。さらに、吸引風によって保持枠２４を形成する各棒状部材２４Ａに張り付いたフィルタ２５が、吸引風の停止によって復元することにより、復元力で粉塵を自動的にフィルタ２５から除去できる。
【００２５】
また、フィルタ２５が保持枠２４の前方端に位置する第２の環状部材２４Ｃから突出する長さＬ１を、保持枠２４（棒状部材２４Ａ）の長さの１／２〜１／３に設定したことで、フィルタ２５の収縮時の形状と復元時の形状との差を大きくできる。このため、フィルタ２５から粉塵を振り払う復元力を大きくでき、粉塵がフィルタ２５から剥がれ落ち易くなる。
【００２６】
さらに、８つの棒状部材２４Ａで形成された保持枠２４は、吸引風の吸引方向と略平行に延設されることになり、吸引風の流れを妨げることを抑制できる。これにより、フィルタ２５に対する吸引風の風量の低下を防ぐことができるため、フィルタ２５の圧力損失の上昇を防ぐことができる。
【００２７】
＜実施形態２＞
本発明の実施形態２を図４を参照しつつ説明する。ここでは実施形態１と同一の構成は同一の符号を付しその説明を省略する。本実施形態のクリーナ１Ａは、集塵室２１内に保持枠３０とフィルタ４０とを収容している。保持枠３０は、フィルタ４０よりも吸引風の下流側に設けられて、前側キャップ３１と、２つの棒状部材３２と、後側キャップ３３とを備えている。前側キャップ３１の外面には、前側キャップ３１の内部と連筒する筒部３１Ａが設けられている。この筒部３１Ａは、粉塵吸引口２２に連結可能とされている。後側キャップ３３は、前側キャップ３１から吸引風の下流側へ離れて前側キャップ３１と正対配置されている。２つの棒状部材３２は、前側キャップ３１と後側キャップ３３との間を中心線Ｌと略平行に前後方向Ｘへ延設された上で、集塵室２１の上下方向（図４中の上下方向）で対向するように配置されている。各棒状部材３２の前方端部は前側キャップ３１の外面に結合され、各棒状部材３２の後方端部は後側キャップ３３の外面に結合されている。
【００２８】
フィルタ４０は、ダストハウジング２０側を開口させ本体ハウジング１０側を閉塞した袋状で、ポリエステル繊維製の織布と共に導電性繊維を用いて形成されている。このフィルタ４０は、開口側を粉塵吸引口２２と連結させた上で、両キャップ３１、３３と両棒状部材３２、３２とで囲まれた保持枠３０の内部空間に装着されている。
【００２９】
次にクリーナ１Ａの動作を説明する。粉塵は吸引風と共に粉塵吸引口２２からフィルタ４０に吸い込まれる。このフィルタ４０は、吸引風で膨らんで外面が両キャップ３１、３３に張り付いて両棒状部材３２、３２からはみ出した状態で内部に粉塵を集塵する。そして粉塵が分離された吸引風は、フィルタ４０を通過した後にダストハウジング２０内、通気孔１３Ｂ、ファンＦのブレード同士の間、ファン収容室１３内を通過して、実施形態１と同様の空気排気口から排出される。本実施形態でも、実施形態１と同様に静電気がフィルタ４０に帯電することを抑制できる。よって吸引風が停止したときに、粉塵がフィルタ４０の内面に吸着することを抑えることができる。加えて、フィルタ４０が膨らんだ状態から膨らむ前の状態へ復元するときに、フィルタ４０の内面に捕捉された粉塵は、復元力でフィルタ４０の内部に剥がれ落ちる。
【００３０】
＜実施形態２の効果＞
本実施形態のクリーナ１Ａでは、粉塵を捕捉するフィルタ４０を、ポリエステル繊維製の織布と共に導電性繊維を用いて形成することで、静電気がフィルタ４０に帯電することを抑制できる。これにより、粉塵が静電気でフィルタ４０に吸着することを抑えることができ、フィルタ４０の塵離れが良好になる。さらに、吸引風によって膨らんで、外面が両キャップ３１、３３に張り付いて両棒状部材３２、３２からはみ出したフィルタ４０が、吸引風の停止によって膨らむ前の状態に復元することにより、復元力で粉塵を自動的にフィルタ４０の内面から除去できる。
【００３１】
本発明は、上述した実施形態に限定されるものではなく、発明の趣旨を逸脱しない範囲内において構成の一部を適宜変更して実施できる。例えば実施形態１とは異なり、保持枠を３つ以上の適宜の数の棒状部材２４Ａで形成して、この保持枠が吸引風の発生時にフィルタ２５を収縮状態で保持するようにしてもよい。
【符号の説明】
【００３２】
１・・クリーナ、１０・・本体ハウジング、１５・・電動送風機、２０・・ダストハウジング、２１・・集塵室、２２・・粉塵吸引口、２４、３０・・保持枠、２４Ａ・・棒状部材、２５、４０・・フィルタ、Ｌ・・粉塵吸引口の中心を通る中心線、Ｌ１・・フィルタの突出長さ、Ｍ・・駆動モータ、Ｘ・・集塵室の前後方向。
【図１】
2012223205.tif 000003
【図２】
2012223205.tif 000004
【図３】
2012223205.tif 000005
【図４】
2012223205.tif 000006